(57)【特許請求の範囲】
【請求項１】
巻芯に帯状物を巻き付けてなるロール品を収容するためのボックスであって、それぞれ段ボールからなる、少なくとも上面部材と、該上面部材に対向配置された底面部材と、前記上面部材と底面部材に垂直となるように対向配置された２つの支持部材とからなり、前記上面部材と底面部材の両縁がコの字型に折り曲げられてなる折り曲げ部が、前記支持部材の上縁と下縁の左右にそれぞれ係止部を介して嵌め込まれており、前記支持部材が、前記ロール品の両端から突出する巻芯の端部を支持するための切り欠き部を有し、前記底面部材の折り曲げ部が、フォークリフトで運搬するためのフォーク挿入口を有するものであることを特徴とするロール品収容用段ボールボックス。
【請求項２】
前記支持部材が、段ボールの幅方向が垂直となるように段ボールが積層されてなるものであることを特徴とする請求項１に記載のロール品収容用段ボールボックス。
【請求項３】
前記底面部材と上面部材の折り曲げ部のうち、少なくとも底面部材の折り曲げ部が、段ボールの幅方向が垂直となる段ボールと、水平となる段ボールとが積層されてなるものであることを特徴とする請求項１または請求項２に記載のロール品収容用段ボールボックス。
【請求項４】
前記支持部材が、前記巻芯の端部を支持するための切り欠き部を複数有することを特徴とする請求項１ないし請求項３のいずれか一項に記載のロール品収容用段ボールボックス。
【請求項５】
前記段ボールボックスが、さらに段ボールからなるカバーを備え、該カバーが、段ボールボックスの上から被せたときに該カバーの下縁が前記底面部材のフォーク挿入口の上縁と同じか、これよりも高い位置となるものであることを特徴とする請求項１ないし請求項４のいずれか一項に記載のロール品収容用段ボールボックス。
【請求項６】
前記上面部材、底面部材、支持部材、及びカバーの少なくとも外側に面する部分に、水溶性樹脂コートが施されていることを特徴とする請求項１ないし請求項５のいずれか一項に記載のロール品収容用段ボールボックス。
【請求項７】
前記段ボールボックスを構成する各部材が、段ボールと合板の複合材料からなることを特徴とする請求項１ないし請求項６のいずれか一項に記載のロール品収容用段ボールボックス。
【発明の詳細な説明】
【０００１】
【発明の属する技術分野】
本発明は、フィルム原反など、巻芯に帯状物を巻き付けてなるロール品を収容して保管、運搬等するためのボックスに関する。
【０００２】
【従来の技術】
例えば、ポリプロピレンやポリスチレン等の樹脂製フィルムあるいは布等の原反は、一般的に円筒形の巻芯（コア）に巻き付けてロール品とされて保管や運搬が行われている。フィルム自体は非常にデリケートなものである一方、そのロール品は非常に高重量となるため、地べたやパレット上に直に置くことができない。そのため保管や運搬等の際には、主に木枠にロール品の巻芯を固定して宙吊り状態とし、これを木やプラスチック製のパレット上に置くようにしている。そしてこのような形態でフォークリフトのフォークをパレットに挿入し、ロール品を運搬している。
【０００３】
しかしながら、これらの木枠やパレットを使用した場合、ロール品を支持する部材と、それをフォークリフトで運ぶためのパレットが別物であるため、保管や輸送の効率が悪いという問題がある。また、これらの木枠やパレット等は、製造コストが高く、木枠やパレット自体の保管場所を確保する必要があったり、廃棄やリサイクルなどの処分をし難いという問題もある。
さらに、木枠や木製パレットには害虫が付くおそれがあるため、予め蒸燻や熱処理する必要があり、近年では、これらを用いた輸出が制限される場合もある。
【０００４】
【発明が解決しようとする課題】
そこで、上記問題を解決するべく、本発明では、巻芯に樹脂フィルム等の帯状物を巻き付けてなる高重量のロール品を収容して、保管や運搬を効率的に行うことができるとともに、低コストで製造でき、また、輸出等の制限も受けることの無いロール品収容用ボックスを提供することを目的とする。
【０００５】
【課題を解決するための手段】
上記目的を達成するため、本発明によれば、巻芯に帯状物を巻き付けてなるロール品を収容するためのボックスであって、それぞれ段ボールからなる、少なくとも上面部材と、該上面部材に対向配置された底面部材と、前記上面部材と底面部材に垂直となるように対向配置された２つの支持部材とからなり、前記上面部材と底面部材の両縁がコの字型に折り曲げられてなる折り曲げ部が、前記支持部材の上縁と下縁の左右にそれぞれ係止部を介して嵌め込まれており、前記支持部材が、前記ロール品の両端から突出する巻芯の端部を支持するための切り欠き部を有し、前記底面部材の折り曲げ部が、フォークリフトで運搬するためのフォーク挿入口を有するものであることを特徴とするロール品収容用段ボールボックスが提供される。
【０００６】
このような構造のロール品収容用段ボールボックスとすれば、構造上非常に強く、ロール品をボックス内で宙に浮かせた状態で収容することができる上、ボックス自体がパレットの機能を兼ね備えているので、別個にパレットを用意することが不要となり、保管や輸送効率に優れたものとなる。
また、ボックス全体が、段ボール製の単純な部材で構成されているため、軽量であって、組み立ても容易であり、低コストで製造することができる。使用後は容易にリサイクルすることもできる。さらに、害虫が寄生することもないので、薫蒸や熱処理の必要が無く、ロール品を輸出する際に制限されることも無い。
【０００７】
この場合、支持部材は、段ボールの幅方向が垂直となるように段ボールが積層されてなるものであることが好ましい。
このように、段ボールの幅方向（縦目方向）が垂直となるように積層した支持部材とすれば、支持部材の垂直方向の強度が非常に高くなるため、高重量のロール品であっても確実に支持して収容することができ、支持部材が折れたりすることもない。この場合、用いる段ボールの種類あるいは積層する枚数は、収容するロール品の重量に応じて適宜調整すれば良い。
【０００８】
また、底面部材と上面部材の折り曲げ部のうち、少なくとも底面部材の折り曲げ部が、段ボールの幅方向が垂直となる段ボールと、水平となる段ボールとが積層されてなるものであることが好ましい。
このように、段ボールの幅方向が垂直となる段ボールと、水平となる段ボールとを積層させてなる折り曲げ部とすれば、垂直及び水平の両方向で高い強度を発揮することができ、特に底面部材の折り曲げ部にはフォーク挿入口を有するので、フォークリフトにより運搬する際や、ボックスを段積みした際の部材の損傷を防ぐことができる。
【０００９】
また、支持部材は、前記巻芯の端部を支持するための切り欠き部を複数有するものとすることもできる。
このように複数の切り欠き部を有する支持部材とすれば、比較的小径のロール品を複数個一緒に収容することができる。
【００１０】
さらに、本発明の段ボールボックスは、さらに段ボールからなるカバーを備え、該カバーが、段ボールボックスの上から被せたときに該カバーの下縁が前記底面部材のフォーク挿入口の上縁と同じか、これよりも高い位置となるものとすることもできる。
このようなカバーを備えることで、フォークリフトによる運搬等に何ら障害を与えることもなく、ロール品の汚染等を防ぐことができる。
【００１１】
また、本発明では、上面部材、底面部材、支持部材、及びカバーの少なくとも外側に面する部分に、水溶性樹脂コートが施されているものとすることが好ましい。
このような水溶性樹脂コートを施せば、撥水性や防湿性等を付与することができ、例えば雨により水等に濡れてもボックスの強度が損われることもないし、ボックス内のロール品が汚染されるのを確実に防ぐことができる。
【００１２】
さらに、段ボールボックスを構成する各部材は、段ボールと合板の複合材料からなるものとすることもできる。
このように段ボールと合板の複合材料からなる部材を用いれば、強度が非常に高くなり、特別重いロール品でも安全に保管、運搬等を行うことができる。
【００１３】
【発明の実施の形態】
以下、図面を参照しながら本発明の実施の形態について具体的に説明するが、本発明はこれらに限定されるものではない。
【００１４】
図１は、本発明のロール品収容用段ボールボックスの一例を示したものであり、図２はその正面を、さらに図３はその側面を示している。
このロール品収容用段ボールボックス１は、段ボールからなる４つの部材からなり、上面部材２と底面部材４が対向配置され、上面部材２と底面部材４の両端部付近には、２つの垂直な支持部材３が対向配置されている。上面部材２と底面部材４の両縁が、略垂直に、コの字型に折り曲げられて折り曲げ部６，７が形成されており、これらの折り曲げ部６，７が、２つの支持部材３の上縁の左右２ヶ所と、下縁の左右２ヶ所において、それぞれ係止部９を介して嵌め込まれている。
【００１５】
各支持部材３は、上縁部から中央部付近にかけて垂直の切り欠き部５を有しており、この切り欠き部５の下端において、ロール品の両端から突出する巻芯の各端部を支持することができる。また、底面部材の折り曲げ部７は、フォークリフトで運搬するためのフォーク挿入口８を有している。
【００１６】
各部材は段ボールから作られているため、収容するロール品の大きさや重さに応じて簡単に大きさを変更できるし、複数枚の段ボールを積層したり、一般の強化芯を使用した強化段ボールを用いることで、強度を高めることができる。図１の段ボールボックス１では、ＡＢフルート（Ｗ（ダブル））と呼ばれる、いわゆるＡフルート（厚さ５ｍｍ）とＢフルート（厚さ３ｍｍ）の二層の強化芯を有する強化段ボールが用いられている。そして、特に高い強度が必要な箇所では、この強化段ボールを複数枚積層させた構造とすることで、ロール品の荷重やフォークリフトによる運搬に耐え得るものとされている。
【００１７】
なお、特に高重量のロール品を収容するために段ボールボックスが非常に高い強度が必要で、各部材を例えば１０枚以上の段ボールを積層したものとする必要があるときは、厚さを減ずるために段ボールと合板の複合材料からなるものを用いることもできる。例えば合板の両面に段ボールを貼り付けたものを用いて部材を構成すれば、比較的厚みが薄いにもかかわらず、非常に高い強度を発揮することができる。特に、フォークで支える部分にこのような複合材料を用いれば、フォーク挿入口部分の強度をより高くすることができ、フォークリフトによる運搬等を安全に行うことができる。
【００１８】
また、段ボールボックスの各部材の少なくとも外側に面する部分に水溶性樹脂コートを施したものとすることで撥水性、防湿性、耐水性、耐油性等を付与することもできる。例えば、上面部材２、支持部材３、底面部材４の外側に面する部分の段ボールライナーに、撥水、防湿、耐水、又は耐油性を示す水溶性コート剤、あるいは水溶性カラー樹脂を塗布すれば良い。このようにボックスの外側に水溶性樹脂コートが施されていれば、ボックスの長期保存に伴う吸湿や、多少雨に曝されたりしても、各部材の強度が損われるようなことがなくなる。また、ロール品が水や油に弱いものである場合、ロール品の汚染をより確実に防ぐことができる。また、カラーコート剤が塗布されていると、全面単色のため視認性や識別性が優れており、色を生かした他との差別化や識別管理に役立てることができる。なお、水溶性樹脂コートは、各部材の外側のみならず、内側の面にも施しても良いことは言うまでもない。
【００１９】
上記水溶性樹脂コートに使用できる水溶性樹脂としては、例えば、カゼイン、アルブミン、ゼラチン等の天然高分子化合物、メチルセルロース、カルボキシメチルセルロース、ヒドロキシエチルセルロース等の水溶性セルロース類、ポリエチレングリコール、ポリプロピレングリコール等のポリエーテル類、（メタ）アクリル酸系ポリマー、アクリル−スチレン共重合体等の水溶性アクリル系樹脂、及び水溶性ポリブチラール、ポリビニルアルコール等の水溶性合成高分子化合物等が挙げられる。なお、このような水溶性樹脂は、リサイクル過程などでは容易に処理水に溶解するため、リサイクルし易く、焼却する場合にも有毒物質が生成されることがない。
【００２０】
水溶性樹脂コートを施す方法としては、例えば、各構成部材の原料となる段ボールの表面（段ボールライナー）に、上記樹脂を水に溶解あるいは分散した溶液、あるいはこれらの樹脂のエマルジョンをバーコーティング、ロールコーティング、グラビアコーティング、エアーナイフコーティング、ブレードコーティング等の公知のコーティング方法で塗布することによりコート層を形成することができる。コート層の厚さは特に限定されないが、通常、湿重量換算で塗布量が５〜５０ｇ／ｍ２程度になることが好ましい。
【００２１】
図１のロール品収容用段ボールボックスを組み立て、さらにこれに樹脂フィルム等のロール品を収容して運搬する手順について具体的に説明する。
まず、材料となる段ボールを用い、これを所定の形状に打抜き及び貼り合わせを行い、図４に示すような上面部材２、底面部材４、支持部材３を作製する。用いる段ボール材は、ライナー、中芯とも強度の高いものを用いるのが望ましい。
【００２２】
特に、支持部材３は、切り欠き部５の末端でロール品の巻芯の端部を支持するため、垂直方向に関してロール品の重さに耐え得る高い強度が要求される。そこで、段ボール材として上記ＡＢフルートを用いるとともに、これを複数枚積層することで一層強度を高めることができる。この時、段ボールの流れ方向（段に直角の方向）が垂直となるように積層するよりも、段ボールの幅方向（縦目方向）が垂直となるように積層する方が、垂直方向に対してより高い強度を発揮させることができる。
例えば、支持部材３は、図５（Ａ）に示されるように、ボックスに組み立てられたときに、段ボールの幅方向が垂直となるように、ＡＢフルートからなる強化段ボールが接着剤を介して６枚積層されたものとされている。
【００２３】
底面部材４と上面部材２に関しても十分な強度とすることが好ましく、特に、底面部材の折り曲げ部７には、フォーク挿入口８にフォークリフトのフォークを挿入して持ち上げる際、ロール品の重さによる負荷がかかる。従って、底面部材と上面部材の折り曲げ部６，７のうち、少なくとも底面部材の折り曲げ部７は、部材強度が強く、さらに曲がりやねじれにも強いことが要求される。そのため、底面部材の折り曲げ部７は、図５（Ｂ）に示されるように、段ボールの幅方向が垂直、水平、垂直となるようにＡＢフルートからなる強化段ボールが接着剤を介して６枚積層されている。これにより、フォークリフトで持ち上げる時の荷重に十分耐えることができるとともに、使用につれてフォーク挿入口８の上縁が型崩れし難くなる。この底面部材の折り曲げ部における段ボール材の積層枚数（あるいは厚さ）や、フォーク挿入口８より上の部分の高さ（ｈ）は、収容するロール品の重量に応じて適宜調整すれば良い。なお、本態様では、上面部材の折り曲げ部６も上記底面部材の折り曲げ部７と全く同様に段ボールを積層して構成されている。これにより、より強度が強く、曲がりやねじれに強い段ボールボックスとすることができる。
【００２４】
上記のような打抜き加工等により作製した各部材のうち、上面部材２と底面部材４については、所定の両縁をコの字型に折り曲げて折り曲げ部６，７を形成する。そして、２つの支持部材３を底面部材４に対して垂直となるように底面部材の折り曲げ部７に係止部９を介して嵌め込んで対向配置する。
【００２５】
次に、ロール品の両端から突出する巻芯１１の端部を、支持部材３の切り欠き部５の上方から挿入して下縁で支持する。これによりロール品は底面部材４上に宙に浮いた状態で支持部材３により保持される。そして、上面部材の折り曲げ部６を、各支持部材３の上縁の左右にそれぞれ係止部９を介して嵌め込むことで支持部材３が上部でも固定され、ボックス全体がねじれや振動等に強い構造となる。このような手順により、図６に示すような状態でロール品１０がボックス１内に安定して収容される。
【００２６】
そして、本発明のロール品収容用ダンボールボックス１は、ロール品１０をボックス１内で宙に浮かせた状態で収容するとともに、ボックス自体がパレットの機能を兼ね備えているため、別個独立したパレットを使用せずにフォークリフトで直接運搬することができる。すなわち、図７に示すように、底面部材４のフォーク挿入口８にフォークリフトのフォーク１２を挿入して持ち上げ、これを運搬することができる。
【００２７】
本発明のロール品収容用段ボールボックスは、段ボールからなるカバーを備えたものとすることもできる。図８は、段ボールボックスの上からカバー１３を被せた状態を示している。このカバーは、一般的に半Ａ式と呼ばれる、底フラップの無い段ボール箱であり、カバー１３の下縁が底面部材４のフォーク挿入口８の上縁よりも若干高い位置となっている。なお、カバー１３の下縁が、ボックスのフォーク挿入口８の上縁と同じ位置となるものを用いても良い。
【００２８】
例えば、ロール品が、遮光性が必要であったり、汚染を防ぐ必要がある場合にこのようなカバー１３を被せることで、ロール品を略全体的に段ボールで保護し、汚染等を防ぐことができる。また、フォーク挿入口８が塞がれないため、カバー１３を被せたままフォーリフトで運搬することができる。なお、このようなカバーを被せて段積みした場合、荷重は主に支持部材が受けるので、カバーに耐荷重性を付与する必要は無く、上記のような汎用品を用いることができ、低コストで提供することができる。
【００２９】
このようなカバーに関しても耐水性等を有することが好ましく、例えば、カバーの少なくとも外側に面する部分に前述したような水溶性樹脂コートを施したものを使用することができる。これにより、収容されたロール品が雨等により汚れることをより確実に防止することができる。また、水溶性のカラー樹脂コートを全面単色に施したものを使用することができる。これにより、視認性や識別性が優れており、色を生かした他との差別化や識別管理に役立てることができる。
【００３０】
なお、本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００３１】
例えば、本発明のロール品収容用ダンボールボックスの大きさや各部材の強度は、収容するロール品の大きさや重量に応じて設計すれば良く、また、支持部材３は、ロール品の巻芯の端部を支持するための切り欠き部を複数有するものとしても良い。例えば、図９に示したように、各支持部材３ａが３つの切り欠き部５ａを有するものとすれば、１つのボックス内に比較的小径のロール品を３個収容することができ、保管や運搬をより効率的に行うことができる。
【００３２】
また、本発明のロール品収容用ダンボールボックスに収容されるロール品の材質等は特に限定されるものではなく、各種の樹脂フィルムのほか、紙、布、金属薄等、巻芯に巻き付けてロール品となるものであれば、限定されずに収容することができる。
【００３３】
【発明の効果】
以上説明したように、本発明のロール品収容用段ボールボックスは、ロール品をボックス内で宙に浮かせた状態で収容することができる上、ボックス自体がパレットの機能を兼ね備えているため、パレットが不要になり、保管や輸送効率に優れたものとなる。
また、ボックス全体が段ボールで作られているため、組み立てが容易であり、低コストで製造することができる。さらに、害虫が寄生することもないので、薫蒸や熱処理の必要が無く、ロール品を輸出する際に制限されることが無い。
また、段ボール製のため、容易にリサイクルすることもでき、環境問題を引き起こすこともない。
【図面の簡単な説明】
【図１】本発明にかかるロール品収容用段ボールボックスを示す斜視図である。
【図２】図１に示すロール品収容用段ボールボックスの正面図である。
【図３】図１に示すロール品収容用段ボールボックスの側面図である。
【図４】図１に示すロール品収容用段ボールボックスの組み立て前の各部材を示す正面図である。
【図５】図４の支持部材と底面部材の部分断面図である。（Ａ）支持部材のＡ−Ａ線断面（Ｂ）底面部材のＢ−Ｂ線断面
【図６】図１に示すロール品収容用段ボールボックスにロール品を収容した状態を示す側面図である。
【図７】ロール品を収容した段ボールボックスをフォークリフトで運搬する状態を示す説明図である。
【図８】カバーを被せた状態のロール品収容用段ボールボックスを示す斜視図である。
【図９】本発明にかかる支持部材の他の態様を示す正面図である。
【符号の説明】
１…ロール品収容用段ボールボックス、  ２…上面部材、  ３，３ａ…支持部材、  ４…底面部材、  ５，５ａ…切り欠き部、  ６…上面部材折り曲げ部、  ７…底面部材折り曲げ部、  ８…フォーク挿入口、  ９…係止部、  １０…ロール品、  １１…巻芯、  １２…フォーク、  １３…カバー。
【図１】
0003828390.tif 000002
【図２】
0003828390.tif 000003
【図３】
0003828390.tif 000004
【図４】
0003828390.tif 000005
【図５】
0003828390.tif 000006
【図６】
0003828390.tif 000007
【図７】
0003828390.tif 000008
【図８】
0003828390.tif 000009
【図９】
0003828390.tif 000010